【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
ユーザがコンテンツ・アイテムを電子通信に追加することができる作成エリアを提供するグラフィカル・ユーザ・インタフェースを提示する工程と、
前記グラフィカル・ユーザ・インタフェースを通じて、１つまたは複数のコンテンツ・アイテムを前記電子通信に追加するための入力をユーザから受け取る工程と、
１つ以上のプロセッサを使用して、前記ユーザからの対話を検知する対話検知工程と、
検知された前記対話に応答して、カメラからの生のシーンを含むカメラ・ファインダ・インタフェースを表示する工程と、
前記カメラ・ファインダ・インタフェース内に前記生のシーンに対するオーバーレイとして前記１つまたは複数のコンテンツ・アイテムの少なくとも一部分の表示を提示する工程と、
を備える方法。
【請求項２】
前記ユーザからさらなる対話を受け取る工程と、
前記さらなる対話に応答して、前記カメラ・ファインダ・インタフェースにおいて示されている前記生のシーンのイメージを取り込む工程と、
をさらに備える、請求項１に記載の方法。
【請求項３】
取り込まれた前記イメージと前記１つまたは複数のコンテンツ・アイテムを関連付ける工程をさらに備える、請求項２に記載の方法。
【請求項４】
取り込まれた前記イメージと前記１つまたは複数のコンテンツ・アイテムとを含む前記電子通信を送信する工程をさらに備える、請求項３に記載の方法。
【請求項５】
前記１つまたは複数のコンテンツ・アイテムは、テキスト・メッセージ、連絡先、イメージ、またはロケーションのうちの１つ以上を含む、請求項１に記載の方法。
【請求項６】
前記対話検知工程は、カメラ要素に対するタップ・ジェスチャを検知する工程を含む、請求項１に記載の方法。
【請求項７】
前記グラフィカル・ユーザ・インタフェースは、ナビゲート可能なトレイ・エリアをさ
らに提供する、請求項１に記載の方法。
【請求項８】
前記対話検知工程は、前記ナビゲート可能なトレイ・エリア上でのスワイプ・ジェスチャを検知する工程を含む、請求項７に記載の方法。
【請求項９】
前記１つまたは複数のコンテンツ・アイテムの前記少なくとも一部分は、連絡先の名前を含む、請求項１に記載の方法。
【請求項１０】
前記１つまたは複数のコンテンツ・アイテムの前記少なくとも一部分は、テキストを含む、請求項１に記載の方法。
【請求項１１】
１つ以上のプロセッサと、
命令を記憶している１つ以上の非一時的なコンピュータ可読記憶媒体と、
を備えるモバイル・デバイスであって、前記命令が前記１つ以上のプロセッサによって実行される時、前記モバイル・デバイスが、
グラフィカル・ユーザ・インタフェースを通じて、１つまたは複数のコンテンツ・アイテムを電子通信に追加するための入力をユーザから受け取る工程と、
前記ユーザからの対話を検知する対話検知工程と、
前記対話の検知に応答して、カメラ・ファインダ・インタフェースを提示する工程であって、前記カメラ・ファインダ・インタフェースはカメラからの生のシーンを表示する、工程と、
前記カメラ・ファインダ・インタフェース内に前記生のシーンに対するオーバーレイとして前記１つまたは複数のコンテンツ・アイテムの少なくとも一部分の表示を提示する工程と、
を行う、モバイル・デバイス。
【請求項１２】
前記１つ以上のプロセッサによって実行される時、前記モバイル・デバイスが、
前記ユーザからさらなる対話を受け取る工程と、
前記さらなる対話に応答して、前記カメラ・ファインダ・インタフェースにおいて示されている前記生のシーンのイメージを取り込む工程と、
を行う命令をさらに備える、請求項１１に記載のモバイル・デバイス。
【請求項１３】
前記１つ以上のプロセッサによって実行される時、前記モバイル・デバイスが、取り込まれた前記イメージと前記１つまたは複数のコンテンツ・アイテムを関連付ける工程を行う命令をさらに備える、請求項１２に記載のモバイル・デバイス。
【請求項１４】
前記１つ以上のプロセッサによって実行される時、前記モバイル・デバイスが、取り込まれた前記イメージと前記１つまたは複数のコンテンツ・アイテムとを含む前記電子通信を送信する工程を行う命令をさらに備える、請求項１３に記載のモバイル・デバイス。
【請求項１５】
前記１つまたは複数のコンテンツ・アイテムは、テキスト・メッセージ、連絡先、イメージ、またはロケーションのうちの１つ以上を含む、請求項１２に記載のモバイル・デバイス。
【請求項１６】
前記対話検知工程は、カメラ要素に対するタップ・ジェスチャを検知する工程を含む、請求項１２に記載のモバイル・デバイス。
【請求項１７】
前記グラフィカル・ユーザ・インタフェースは、ナビゲート可能なトレイ・エリアをさらに提供する、請求項１２に記載のモバイル・デバイス。
【請求項１８】
前記対話検知工程は、前記ナビゲート可能なトレイ・エリア上でのスワイプ・ジェスチャを検知する工程を含む、請求項１７に記載のモバイル・デバイス。
【請求項１９】
前記１つまたは複数のコンテンツ・アイテムの前記少なくとも一部分は、連絡先の名前を含む、請求項１２に記載のモバイル・デバイス。
【請求項２０】
前記１つまたは複数のコンテンツ・アイテムの前記少なくとも一部分は、テキストを含む、請求項１２に記載のモバイル・デバイス。
【手続補正２】
【補正対象書類名】明細書
【補正対象項目名】０１５０
【補正方法】変更
【補正の内容】
【０１５０】
本発明は、その主旨または本質的特性から逸脱することなく、他の特定の形態で具現化されるようになっていてもよい。上記実施形態は、あらゆる点において一例に過ぎず、何ら限定的なものではないと解釈されるべきである。たとえば、本明細書に記載の方法は、より少数または多数のステップ／行為で実行されるようになっていてもよいし、これらのステップ／行為は、異なる順序で実行されるようになっていてもよい。また、本明細書に記載のステップ／行為は、反復されるようになっていてもよいし、互いに並列に実行されるようになっていてもよいし、同一または類似ステップ／行為の異なるインスタンスと並列に実行されるようになっていてもよい。したがって、本発明の範囲は、上記説明ではなく、添付の特許請求の範囲によって指定される。特許請求の範囲と同等の意味および範囲に含まれるすべての変更は、上記請求の範囲に包含されるものとする。
［項目１］
ユーザがコンテンツ・アイテムを電子通信に追加することができる作成エリアを提供するグラフィカル・ユーザ・インタフェースを提示する工程と、
前記グラフィカル・ユーザ・インタフェースを通じて、１つまたは複数のコンテンツ・アイテムを前記電子通信に追加するための入力をユーザから受け取る工程と、
１つ以上のプロセッサを使用して、前記ユーザからの対話を検知する対話検知工程と、
検知された前記対話に応答して、カメラ・ファインダ・インタフェースを表示する工程と、
前記カメラ・ファインダ・インタフェース内に前記１つまたは複数のコンテンツ・アイテムの少なくとも一部分の表示を提示する工程と、
を備える方法。
［項目２］
前記ユーザからさらなる対話を受け取る工程と、
前記さらなる対話に応答して、前記カメラ・ファインダ・インタフェースにおいて示されているイメージを取り込む工程と、
をさらに備える、項目１に記載の方法。
［項目３］
取り込まれた前記イメージと前記１つまたは複数のコンテンツ・アイテムを関連付ける工程をさらに備える、項目２に記載の方法。
［項目４］
取り込まれた前記イメージと前記１つまたは複数のコンテンツ・アイテムとを含む前記電子通信を送信する工程をさらに備える、項目３に記載の方法。
［項目５］
前記１つまたは複数のコンテンツ・アイテムは、テキスト・メッセージ、連絡先、イメージ、またはロケーションのうちの１つ以上を含む、項目１乃至４のいずれか一項に記載の方法。
［項目６］
前記対話検知工程は、カメラ要素に対するタップ・ジェスチャを検知する工程を含む、項目１乃至５のいずれか一項に記載の方法。
［項目７］
前記グラフィカル・ユーザ・インタフェースは、ナビゲート可能なトレイ・エリアをさらに提供する、項目１乃至６のいずれか一項に記載の方法。
［項目８］
前記対話検知工程は、前記ナビゲート可能なトレイ・エリア上でのスワイプ・ジェスチャを検知する工程を含む、項目７に記載の方法。
［項目９］
前記１つまたは複数のコンテンツ・アイテムの前記少なくとも一部分は、連絡先の名前を含む、項目１乃至８のいずれか一項に記載の方法。
［項目１０］
前記１つまたは複数のコンテンツ・アイテムの前記少なくとも一部分は、テキストを含む、項目１乃至９のいずれか一項に記載の方法。
［項目１１］
実行時に項目１乃至１０のいずれか一項に記載の方法を行うように構成されているソフトウェアを具体化する１つまたは複数の非一時的なコンピュータ可読記憶媒体。
［項目１２］
１つまたは複数のプロセッサと、前記プロセッサに結合されており、前記プロセッサによって実行可能な命令を含むメモリと、を備えるシステムであって、前記プロセッサは、前記命令を実行する時、項目１乃至１０のいずれか一項に記載の方法を行うように構成されている、システム。
［項目１３］
ユーザがコンテンツ・アイテムを電子通信に追加することができる作成エリアを提供するグラフィカル・ユーザ・インタフェースを提示する工程と、
前記グラフィカル・ユーザ・インタフェースを通じて、１つまたは複数のコンテンツ・アイテムを前記電子通信に追加するための入力をユーザから受け取る工程と、
１つ以上のプロセッサを使用して、前記ユーザからの対話を検知する対話検知工程と、
検知された前記対話に応答して、カメラ・ファインダ・インタフェースを表示する工程と、
前記カメラ・ファインダ・インタフェース内に前記１つまたは複数のコンテンツ・アイテムの少なくとも一部分の表示を提示する工程と、
を備える方法。
［項目１４］
前記ユーザからさらなる対話を受け取る工程と、
前記さらなる対話に応答して、前記カメラ・ファインダ・インタフェースにおいて示されているイメージを取り込む工程と、
をさらに備える、項目１３に記載の方法。
［項目１５］
取り込まれた前記イメージと前記１つまたは複数のコンテンツ・アイテムを関連付ける工程をさらに備える、項目１４に記載の方法。
［項目１６］
取り込まれた前記イメージと前記１つまたは複数のコンテンツ・アイテムとを含む前記電子通信を送信する工程をさらに備える、項目１３に記載の方法。
［項目１７］
前記１つまたは複数のコンテンツ・アイテムは、テキスト・メッセージ、連絡先、イメージ、またはロケーションのうちの１つ以上を含む、項目１３に記載の方法。
［項目１８］
前記対話検知工程は、カメラ要素に対するタップ・ジェスチャを検知する工程を含む、
項目１３に記載の方法。
［項目１９］
前記グラフィカル・ユーザ・インタフェースは、ナビゲート可能なトレイ・エリアをさらに提供する、項目１３に記載の方法。
［項目２０］
前記対話検知工程は、前記ナビゲート可能なトレイ・エリア上でのスワイプ・ジェスチャを検知する工程を含む、項目１３に記載の方法。
［項目２１］
前記１つまたは複数のコンテンツ・アイテムの前記少なくとも一部分は、連絡先の名前を含む、項目１３に記載の方法。
［項目２２］
前記１つまたは複数のコンテンツ・アイテムの前記少なくとも一部分は、テキストを含む、項目１３に記載の方法。
［項目２３］
１つ以上のプロセッサと、
命令を記憶している１つ以上の非一時的なコンピュータ可読記憶媒体と、
を備えるモバイル・デバイスであって、前記命令が前記１つ以上のプロセッサによって実行される時、前記モバイル・デバイスが、
グラフィカル・ユーザ・インタフェースを通じて、１つまたは複数のコンテンツ・アイテムを電子通信に追加するための入力をユーザから受け取る工程と、
前記ユーザからの対話を検知する対話検知工程と、
前記対話の検知に応答して、カメラ・ファインダ・インタフェースを提示する工程であって、前記カメラ・ファインダ・インタフェースはカメラからのシーン入力を表示する、工程と、
前記シーン入力の上に前記１つまたは複数のコンテンツ・アイテムの少なくとも一部分の表示を提示する工程と、
を行う、モバイル・デバイス。
［項目２４］
前記１つ以上のプロセッサによって実行される時、前記モバイル・デバイスが、
前記ユーザからさらなる対話を受け取る工程と、
前記さらなる対話に応答して、前記カメラ・ファインダ・インタフェースにおいて示されているイメージを取り込む工程と、
を行う命令をさらに備える、項目２２に記載のモバイル・デバイス。
［項目２５］
前記１つ以上のプロセッサによって実行される時、前記モバイル・デバイスが、取り込まれた前記イメージと前記１つまたは複数のコンテンツ・アイテムを関連付ける工程を行う命令をさらに備える、項目２４に記載のモバイル・デバイス。
［項目２６］
前記１つ以上のプロセッサによって実行される時、前記モバイル・デバイスが、取り込まれた前記イメージと前記１つまたは複数のコンテンツ・アイテムとを含む前記電子通信を送信する工程を行う命令をさらに備える、項目２５に記載のモバイル・デバイス。
［項目２７］
前記１つまたは複数のコンテンツ・アイテムは、テキスト・メッセージ、連絡先、イメージ、またはロケーションのうちの１つ以上を含む、項目２４に記載のモバイル・デバイス。
［項目２８］
前記対話検知工程は、カメラ要素に対するタップ・ジェスチャを検知する工程を含む、項目２４に記載のモバイル・デバイス。
［項目２９］
前記グラフィカル・ユーザ・インタフェースは、ナビゲート可能なトレイ・エリアをさ
らに提供する、項目２４に記載のモバイル・デバイス。
［項目３０］
前記対話検知工程は、前記ナビゲート可能なトレイ・エリア上でのスワイプ・ジェスチャを検知する工程を含む、項目２９に記載のモバイル・デバイス。
［項目３１］
前記１つまたは複数のコンテンツ・アイテムの前記少なくとも一部分は、連絡先の名前を含む、項目２４に記載のモバイル・デバイス。
［項目３２］
前記１つまたは複数のコンテンツ・アイテムの前記少なくとも一部分は、テキストを含む、項目２４に記載のモバイル・デバイス。